(57)【要約】【課題】自らが大切だと思う品物を生前に収納するための遺品収納ボックスを提供する。【解決手段】遺品収納ボックス１は、遺品を収納する収納領域を備えた収納部１１と、当該収納領域への遺品の出し入れをする際に開閉可能な蓋１３とを備えている。鍵１５が備えられ、ロックできるようにしてもよい。葬儀の際に展示できるデザインとなっている。音楽等の音響を出力する機能、あるいはＬＥＤ等の発光手段を設けてもよい。【選択図】図１
2014121447.tif 000002
【特許請求の範囲】
【請求項１】
遺品を出し入れ可能な状態で収納する収納領域を備えた
遺品整理ボックス。
【請求項２】
遺品を収納する収納領域を備えた収納部と、
前記収納領域への前記遺品の出し入れをする際に前記収納領域を開閉する開閉手段とを有する請求項１に記載の遺品整理ボックス。
【請求項３】
前記開閉手段は、前記収納領域を開閉可能な蓋、あるいは、前記遺品の出し入れをする際に移動可能な移動機構
である請求項１または請求項２に記載の遺品整理ボックス。
【発明の詳細な説明】
【技術分野】
【０００１】
本発明は、遺品を整理・収納する遺品整理ボックスに関するものである。
【背景技術】
【０００２】
死を意識することで、残された人生をより楽しく輝くものにしたいという要請がある。
【発明の概要】
【発明が解決しようとする課題】
【０００３】
モノが多く、整理ができないシニア層の方がたくさんいる。整理しようと思った時には、体力も気力も落ちていて、身辺整理がままならなくなってしまっていた、ということもある。
亡くなった親御さんのモノが片づけられない子ども世代が多くいる。両親が大切にしていたモノ、思い入れのあったものはどれなのか、形見として残しておきたいと思っても、モノが多すぎてどれを残しておけばよいのかわからない現状がある。現代は同居せずに離れて暮らしていることが多いために、親御さんともコミュニケーションがうまく取れていないので、何を大切にしていたのか、子どもには判断がつかないケースが多くある。
【０００４】
また、認知症等になってしまい、老人ホームや施設に入る際に、後見人や離れて暮らす家族等が入所する際に必要なモノを決めたり手続きをおこなうが、現実には入所するその方「らしい」モノを選んで持ち込むことができずに、画一的になりがちだという問題がある。
【０００５】
本発明はかかる事情に鑑みてなされたものであり、その目的は、自らが大切だと思う品物を生前に収納するための遺品収納ボックスを提供することにある。
【課題を解決するための手段】
【０００６】
上述した従来技術の問題点を解決し、上述した目的を達成するために、本発明の遺品整理ボックスは、遺品を収納する収納領域を備えた収納部と、前記収納領域への前記遺品の出し入れをする際に前記収納領域を開閉する開閉手段とを有する。
【０００７】
好適には、本発明の遺品整理ボックスは、前記開閉手段は、前記収納領域を開閉可能な蓋、あるいは、前記遺品の出し入れをする際に移動可能な移動機構である。
【発明の効果】
【０００８】
本発明によれば、自らが大切だと思う品物を生前に収納するための遺品収納ボックスを提供することができる。
【図面の簡単な説明】
【０００９】
【図１】本発明の第１実施形態に係る遺品収納ボックスの外観図である。
【図２】本発明の第２実施形態に係る遺品収納ボックスの遺品収納時の外観図である。
【発明を実施するための形態】
【００１０】
以下、本発明の実施形態に係る遺品収納ボックスについて説明する。
図１は、本発明の第１実施形態に係る遺品収納ボックス１の外観図である。
図１に示すように、遺品収納ボックス１は、遺品を収納する収納領域を備えた収納部１１と、当該収納領域への遺品の出し入れをする際に開閉可能な蓋１３とを備えている。
【００１１】
収納領域は、複数の段を積み上げて構成されてもよい。
また、遺品収納ボックス１には、使用説明書が付され、後述するような使用例が記述されている。
また、遺品収納ボックス１には、その外面あるいは内面に、所定のマーク、例えば、エンジェルのマークが付されている。
【００１２】
遺品収納ボックス１には、鍵１５が備えられ、ロックできるようにしてもよい。
遺品収納ボックス１は、葬儀の際に展示できるデザインとなっている。
遺品収納ボックス１は、例えば、音楽等の音響を出力する機能、あるいはＬＥＤ等の発光手段を設けてもよい。
【００１３】
発明者は、第二の旅立ちを目の前にして大切な思い出の品々を、天使達の箱に入れて天国まで届けたいと企画し、遺品収納ボックス１を開発した。
エンディングノートや終活という言葉がきかれるようになって、自分の葬儀やお墓、遺書を書いたりして、死を上手に受け入れようとする方々が増えている。立つ鳥跡を濁さず、ご自身がなくなった際に、棺桶に一緒に入れるモノや形見分けしてほしいモノ等を収めておく遺品収納ボックス１を開発した。
【００１４】
遺品収納ボックス１によって、大切にしていたモノをきれいなボックス等に入れて中に入っているモノを見て楽しんだり、使ったりして気持ちが高揚していた、子どもの頃に体験したウキウキするような宝箱のようなイメージを得ることができる。
モノが多く、整理ができないシニア層の方が多い。整理しようと思った時には、体力も気力も落ちていて、身辺整理がままならなくなってしまっていた、ということもある。死んだら何もモノは持っていけないので、無理に整理をして体を壊したり落ち込んだりするよりは、思い切って整理をやめて、ご自身が元気になる、それがあるとワクワクする、楽しい、大切にしたい等、前向きに明るく過ごせるモノたちだけをピックアップして遺品収納ボックス１に入れて、それ以外のモノと区別することができる。遺品収納ボックス１に入っているモノ以外は、本人が亡くなった時には基本的に処分できるモノとして考え、周知できる。
【００１５】
亡くなった親御さんのモノが片づけられない子ども世代が多い。お父さん、お母さんが大切にしていたモノ、思い入れのあったものはどれなのか、形見として残しておきたいと思っても、モノが多すぎてどれを残しておけばよいのかわからないという現状がある。現代は同居せずに離れて暮らしていることが多いために、親御さんともコミュニケーションがうまく取れていないので、何を大切にしていたのか子どもには判断がつかないケースが多くある。このような場合に、遺品収納ボックス１は便利である。
【００１６】
認知症等になってしまい、老人ホームや施設に入る際に、後見人や離れて暮らす家族等が入所する際に必要なモノを決めたり手続きをおこなう。しかしながら、現実には入所するその方「らしい」モノを選んで持ち込むことができずに、画一的になりがちである。遺品収納ボックス１は、そんな時にもご本人の心の友となって頂ける収納ボックスである。
遺品収納ボックス１は、部屋のインテリアとしても利用できる。宝石やお写真や手紙など、それぞれのコーナーに収納できる。
【００１７】
遺品収納ボックス１を通して、ご家族や大切な方々とコミュニケーションを深めることができる。何故そのモノを遺品収納ボックス１に入れているのか、どうして大切にしているモノなのか、色々な思い出話や思いを言葉にして、心の充足を図ることができる。
老後を目の前にして多くの方々が、ご自身の死に関わる事などで悩む。墓や葬儀、財産分与等の問題には、それぞれの専門家がいる。しかし大切な思い出の品々の、心残りをどのように解決して良いか分からない人が多い。元気なうちに、自分だけの大切な品々を、整理して区別しておくのも大切である。第二の旅立ちの手引書と共に大切な品々を、その他のモノと区別できる箱に納めているのも大切である。
【００１８】
遺品収納ボックス１を使うことで、未来の整理ができる。その日が来た時に慌てずに、家族にメッセージを伝える事ができる。
遺品収納ボックス１を使うことで、萌芽活動、萌活（ほうかつ）ができる。萌芽とは、新しい物事が起こり始めること、物事の起こる兆しを意味し、萌活とは、新たな第2の人生の旅立ちに向けて、次の物語の準備する活動のことを言う。
【００１９】
大切な品物を遺品収納ボックス１に収納すると、光のベールに包まれた天使達が御守りをしているようなイメージを与えることができる。
遺品収納ボックス１は、天使たちが大切な品物を天国に送り届けてくれるイメージを与え、安心して保管する事ができる。
また、大切な方々へのメッセージやご自身の願いを天使達に託すことで、それを叶えることができる遺品収納ボックスである。
【００２０】
また、遺品収納ボックス１は、家族で祝う我が家のサンタクロースにお返しをする日であるクリスマスに両親へのプレゼントとして最適である。
死はどんな人にも必ず訪れるが、順番に訪れるのではなく、急にやってくることもある。終活の方やシニア層の方々だけではなく、広く一般の方にニーズがある。
人によっては、何でもたくさん遺品収納ボックス１に入れたいと思う場合があるが、ある一定の量を決めることによって、本当に大切にしたいモノにより優先順位をつけることができる。整理の訓練、トレーニングにも役立つ。
【００２１】
遺品収納ボックス１内には、例えば、以下のようなものを収納する。
・葬式に使う遺影の写真（毎年一番良い、お気に入りの写真を見直す）
・遺言書（または、エンジェルにかなえて欲しい願い事）
・形見分けしてほしい品々とその方々へのメッセージ等
・葬儀の時に展示できるモノ（自分自身である故人を、遺品収納ボックス１の中に入っているモノをみて偲んでいただけるもの）
・棺桶の中に入れて一緒に入れて欲しいモノ
・亡くなった方の遺品、形見
・エンディングノート
・遺品収納ボックス１を覗いてみると、心がワクワクするモノ、大好きなモノ
【００２２】
また、毎年、毎月、記念日等、定期的に中身を見直して、ご自身の心の変化に応じて中のモノを入れ替える。
遺品収納ボックス１に入らない大きなモノ等は、リストにして別途モノを保管する。
遺品収納ボックス１を持っている方が亡くなった際には、中に入っているモノ以外は基本的に全部処分する（例外、リスト有）。
金庫のように仰々しいものではなく、普段から目につく、いつでも手に取って頂ける場所に置く。
遺品収納ボックス１を親御さんやおじいちゃん、おばあちゃんにコミュニケーションツールとして贈る。
【００２３】
＜第２実施形態＞
図２は、本発明の第２実施形態に係る遺品収納ボックス１０１の遺品収納時の外観図である。
遺品収納ボックス１０１は、図２に示すように、第１の収納部１２１と、その両サイドに第２の収納部１２３と第３の収納部１２５とが設けられている。
第２の収納部１２３と第３の収納部１２５は、所定の軸を中心に回転可能であり、収納時には第２の収納部１２３と第３の収納部１２５の開口部が第１の収納部１２１の側面で閉状態となる。
一方、遺品を出し入れする際には、図２に示すような開状態となる。
本実施形態によっても、第１実施形態と同様の効果が得られる。
【００２４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、遺品収納ボックスの形態は、上述した形態には限定されず、任意の形態を採用できる。
【産業上の利用可能性】
【００２５】
本発明は、遺品を整理・収納する遺品整理ボックスに適用可能である。
【符号の説明】
【００２６】
１，１０１…遺品収納ボックス
１１…収納部
１３…蓋
１５…鍵
１２１…第１の収納部
１２３…第２の収納部
１２５…第３の収納部
【図１】
2014121447.tif 000003
【図２】
2014121447.tif 000004